(57)【要約】【課題】画像の特性に応じて当該画像を適切な色で表示することを可能にする。【解決手段】（a）に示す１の点灯モードにおいては、ＬＥＤ２０Ｒ、２０Ｇ、２０Ｂが同時点灯する期間（（ｂ）参照）を含まずに時分割でＲ、Ｇ、Ｂの調光信号を出力する。これにより、白率が少ない自然画等は、第１の点灯モードでの点灯により、全体的な明るさよりも色味を重視して表示することができる。（ｂ）に示す第２の点灯モードにおいては、光源装置が有するＬＥＤ２０Ｒ、Ｇ、Ｂが同時点灯する同時点灯期間ＳＬを含んで時分割で点灯する。よって、同時点灯期間ＳＬを含ませることにより、明るさを重視した表示を簡単に行うことができる。【選択図】図５
2015158617.tif 000002
【特許請求の範囲】
【請求項１】
発光色の異なる複数の光源を時分割で点灯させて画像を表示する表示装置であって、
前記画像の明るさを取得する明るさ取得手段と、
前記複数の光源を同時点灯させる期間のない第１の点灯モードと、同時点灯させる期間のある第２の点灯モードとを含む複数の点灯モードから、前記明るさ取得手段の取得結果に応じて、いずれかを選択するモード選択手段と、
前記モード選択手段により選択された点灯モードで前記光源を制御する光源制御手段と
を備えることを特徴とする表示装置。
【請求項２】
前記モード選択手段は、前記明るさ取得手段により取得された画像の明るさが所定以上である場合、前記第２の点灯モードを選択することを特徴とする請求項２記載の表示装置。
【請求項３】
前記明るさ取得手段は、前記画像における白色の割合である白率を前記画像の明るさとして取得することを特徴とする請求項１又は２記載の表示装置。
【請求項４】
前記光源制御手段は、前記光源への供給電力を調整する電力調整手段を備え、前記モード選択手段により前記第２の点灯モードが選択された場合、前記電力調整手段により前記光源への供給電力を調整することを特徴とする請求項１から３にいずれか記載の表示装置。
【請求項５】
前記点灯モードは、前記複数の光源の点灯期間が異なる点灯モードを含むものであることを特徴とする請求項１から４にいずれか記載の表示装置。
【請求項６】
前記光源制御手段は、前記点灯モードにおける前記光源の点灯期間を変化させる期間変更手段を備え、
前記期間変更手段は、前記モード選択手段により選択された前記点灯モードにおける前記複数の光源の点灯期間を、前記明るさ取得手段の取得結果に応じて変化させることを特徴とする請求項１から５にいずれか記載の表示装置。
【請求項７】
前記期間変更手段は、前記表示する画像が明るい程、前記光源を同時点灯させる期間の割合が大きくなるように、前記複数の光源の点灯期間を変化させることを特徴とする請求項６記載の表示装置。
【請求項８】
前記明るさ取得手段は、前記表示する画像における複数の領域毎の明るさを取得し、
前記モード選択手段は、前記明るさ取得手段により取得された複数の領域毎の明るさに応じて、前記点灯モードを選択することを特徴とする請求項１から７にいずれか記載の表示装置。
【請求項９】
前記明るさ取得手段は、前記複数の領域として、画像中央部と画像周辺部の明るさを取得し、その取得結果に応じて、前記点灯モードを選択することを特徴とする請求項８記載の表示装置。
【請求項１０】
前記表示する画像の種別を取得する画像種別を判定する画像判定手段を更に備え、
前記モード選択手段は、前記画像判定手段の判定結果に応じて、前記点灯モードを選択することを特徴とする請求項１から９にいずれか記載の表示装置。
【請求項１１】
前記モード選択手段は、前記画像判定手段により前記表示する画像に動画が含まれると判定された場合に、前記第１の点灯モードを選択することを特徴とする請求項１０記載の表示装置。
【請求項１２】
前記モード選択手段は、前記画像判定手段により前記表示する画像の種別がプレゼンテーションファイルであると判定された場合に、前記第２の点灯モードを選択することを特徴とする請求項１０又は１１記載の表示装置。
【請求項１３】
前記モード選択手段は、前記画像が表示される前に、前記点灯モードを選択する処理を完了することを特徴とする請求項１から１２にいずれか記載の表示装置。
【請求項１４】
発光色の異なる複数の光源を時分割で点灯させて画像を投影する投影装置であって、
前記複数の光源を同時点灯させる期間のない第１の点灯モードと、同時点灯させる期間のある第２の点灯モードとを含む複数の点灯モードからいずれかを選択するモード選択手段と、
前記画像を投影するに際し、前記モード選択手段により選択された点灯モードで前記光源を制御する光源制御手段と
を備えることを特徴とする投影装置。
【請求項１５】
発光色の異なる複数の光源を時分割で点灯させて画像を表示する表示方法であって、
前記画像の明るさを取得する明るさ取得工程と、
前記複数の光源を同時点灯させる期間のない第１の点灯モードと、同時点灯させる期間のある第２の点灯モードとを含む複数の点灯モードから、前記取得工程で得られた取得結果に応じて、いずれかを選択するモード選択工程と、
前記モード選択工程により選択された点灯モードで前記光源を制御する光源制御工程と
を含むことを特徴とする表示方法。
【請求項１６】
発光色の異なる複数の光源を時分割で点灯させて画像を表示する表示装置が有するコンピュータを、
前記画像の明るさを取得する明るさ取得手段と、
前記複数の光源を同時点灯させる期間を含まない第１の点灯モードと、同時点灯させる期間を含む第２の点灯モードとを含む複数の点灯モードから、前記明るさ取得手段の取得結果に応じて、いずれかを選択するモード選択手段と、
前記モード選択手段により選択された点灯モードで前記光源を制御する光源制御手段と
して機能させることを特徴とするプログラム。
【発明の詳細な説明】
【技術分野】
【０００１】
本発明は、発光色の異なる複数の光源を用いて表示を行う表示装置、投影装置、表示装置の制御方法及びプログラムに関する。
【背景技術】
【０００２】
従来、画像等を表示する公知技術として、下記特許文献１記載の画像表示システムが知られている。このシステムは、画像を表示する際に色光センサにより周囲の環境情報を取得し、表示する画像に対し、環境情報に基づく環境光が影響を及ぼすか否かを判断する。表示する画像に対し環境光による影響が生じ得ると判断した場合には、低階調域の出力を上げるように、画像の階調特性を補正する。したがって、環境光の影響を受ける状態であっても、画像を適切な色で再現できるとする。
【先行技術文献】
【特許文献】
【０００３】
【特許文献１】特開２００６−３０３４１６号公報
【発明の概要】
【発明が解決しようとする課題】
【０００４】
このように、従来の技術にあっては、環境情報に基づく環境光により画像を補正するものであるから、環境光による影響を緩和することはできる。しかし、画像を適切な色で再現するには、外的要因である環境光等よりも、むしろ内的要因である画像そのもの特性を考慮する必要がある。つまり、表示される画像は多種多様であり特性も多種多様であるから、内的要因である画像そのものの特性を考慮することが、鑑賞者の視覚との関係において画像を適切に再現するための重要条件である。
【０００５】
前述した従来技術のように、外的要因である環境光等に基づいて表示する画像を補正しても、当該画像自体の特性は何ら考慮されないことから、鑑賞者の視覚との関係において画像を適切に再現することが難しい。
【０００６】
本発明は、かかる従来の課題に鑑みてなされたものであり、画像の特性に応じて画像を適切に表示することのできる表示装置、投影装置、表示装置の制御方法及びプログラムを提供することを目的とする。
【課題を解決するための手段】
【０００７】
前記課題を解決するために本発明に係る表示装置は、発光色の異なる複数の光源を時分割で点灯させて画像を表示する表示装置であって、前記画像の明るさを取得する明るさ取得手段と、前記複数の光源を同時点灯させる期間のない第１の点灯モードと、同時点灯させる期間のある第２の点灯モードとを含む複数の点灯モードから、前記明るさ取得手段の取得結果に応じて、いずれかを選択するモード選択手段と、前記モード選択手段により選択された点灯モードで前記光源を制御する光源制御手段とを備えることを特徴とする。
【０００８】
本発明に係る投影装置は、発光色の異なる複数の光源を時分割で点灯させて画像を投影する投影装置であって、前記複数の光源を同時点灯させる期間のない第１の点灯モードと、同時点灯させる期間のある第２の点灯モードとを含む複数の点灯モードからいずれかを選択するモード選択手段と、前記画像を投影するに際し、前記モード選択手段により選択された点灯モードで前記光源を制御する光源制御手段とを備えることを特徴とする。
【０００９】
本発明に係る表示方法は、発光色の異なる複数の光源を時分割で点灯させて画像を表示する表示方法であって、前記画像の明るさを取得する明るさ取得工程と、前記複数の光源を同時点灯させる期間のない第１の点灯モードと、同時点灯させる期間のある第２の点灯モードとを含む複数の点灯モードから、前記取得工程で得られた取得結果に応じて、いずれかを選択するモード選択工程と、前記モード選択工程により選択された点灯モードで前記光源を制御する光源制御工程とを含むことを特徴とする。
【００１０】
本発明に係るプログラムは、発光色の異なる複数の光源を時分割で点灯させて画像を表示する表示装置が有するコンピュータを、前記画像の明るさを取得する明るさ取得手段と、前記複数の光源を同時点灯させる期間を含まない第１の点灯モードと、同時点灯させる期間を含む第２の点灯モードとを含む複数の点灯モードから、前記明るさ取得手段の取得結果に応じて、いずれかを選択するモード選択手段と、前記モード選択手段により選択された点灯モードで前記光源を制御する光源制御手段として機能させることを特徴とする。
【発明の効果】
【００１１】
本発明によれば、画像の特性に応じて当該画像の表示を適切に制御することができ、その結果、鑑賞者の視覚との関係において適切に画像を表示することが可能となる。
【図面の簡単な説明】
【００１２】
【図１】本発明の一実施の形態に係るプロジェクタの回路構成を示すブロック図である。
【図２】光源制御回路及び光源装置の詳細を示すブロック図である。
【図３】本発明の第１の実施の形態における処理手順を示すフローチャートである。
【図４】自然画の一部に動画が含まれている画像の一例を示す図である。
【図５】（ａ）は第１の点灯モードを示すタイムチャート、（ｂ）（ｃ）は第２の点灯モードを示すタイムチャートである。
【図６】本発明の第２の実施の形態における処理手順を示すフローチャートである。
【図７】図６のステップＳ２０５及びステップＳ２０６の処理を説明するための図である。
【図８】（ａ）は本発明の第３の実施の形態に係る直視型表示装置の平面概念図、（ｂ）は側面概念図である。
【発明を実施するための形態】
【００１３】
以下、本発明の一実施の形態を図にしたがって説明する。
【００１４】
（第１の実施の形態）
図１は、本発明の一実施の形態に係るプロジェクタ１の電気的構成を示すブロック図である。このプロジェクタ１は、制御部１１、入出力インターフェイス１２、画像変換部１３、表示エンコーダ１４、表示駆動部１５等を有する。入出力コネクタ部１６から入力された各種規格の画像信号（画像データ）は、入出力インターフェイス１２、システムバス１７を介して、画像変換部１３で表示に適した所定フォーマットの画像信号に統一するように変換された後、表示エンコーダ１４に送られる。
【００１５】
表示エンコーダ１４は、送られてきた画像信号をビデオＲＡＭ１８に展開記憶させた上で、このビデオＲＡＭ１８の記憶内容からビデオ信号を生成して表示駆動部１５に出力する。
【００１６】
表示駆動部１５は、送られてきたビデオ信号に対応して適宜フレームレートで２５６階調毎に表示素子としてのＤＭＤ１９（デジタル・マイクロミラー・デバイス）を駆動する。そして、光源装置２０からの射出光を、光源側光学系を介してＤＭＤ１９に入射することにより、ＤＭＤ１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。
【００１７】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００１８】
制御部１１は、光源制御回路３２を含むプロジェクタ１内における各部の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００１９】
キー／インジケータ部２５は、本体ケース等に設けられている複数種のキー及びインジケータ等により構成され、その操作信号は制御部１１に送出される。このキーからの操作信号が制御部１１に送出されことにより設定されるモードとしては、図３のフローチャートに従った処理において用いられる「電流増加」モード、「電流減少」モードが含まれる。つまり、これら「電流増加」、「電流減少」モードは、ユーザのキー操作により予め設定される。
【００２０】
図２は、光源制御回路３２及び光源装置２０の詳細を示すブロック図である。光源装置２０は、Ｒ（赤）色を発光する赤色ＬＥＤ２０Ｒ、Ｇ（緑）色を発光する緑色ＬＥＤ２０Ｇ、Ｂ（青）色を発光する青色ＬＥＤ２０Ｂで構成されている。
【００２１】
光源制御回路３２は、点灯期間制御部３２１、供給電流制御部３２２及びドライバ３２３、３２４、３２５を有する。点灯期間制御部３２１は、ドライバ３２３、３２４、３２５を制御することにより、各ＬＥＤ２０Ｒ、Ｇ、Ｂを時分割点灯（同時点灯期間がある場合を含む）させ、その点灯期間も制御する。ドライバ３２３、３２４、３２５は、電源を供給されてＬＥＤ２０Ｒ、２０Ｇ、２０Ｂに駆動信号を出力し、これらを個別に駆動する。供給電流制御部３２２は、光源装置２０全体又は各ＬＥＤ２０Ｒ、Ｇ、Ｂ個々の供給電流を制御する。
【００２２】
以上の構成に係る本実施の形態において、プロジェクタ１の制御部１１は、ＲＯＭ１１１に記憶されたプログラムに基づき、図３に示すフローチャートに従って処理を実行する。すなわち、制御部１１は、先ず投影データフロントエンド処理を実行して、入出力コネクタ部１６にパソコン等から供給される画像データ、あるいはメモリカード２４から供給される画像データを投影データとして取り込む（ステップＳ１０１）。
【００２３】
次に、スケーリング処理を実行することにより、投影データを画像変換部１３で投影規格に適した所定フォーマットの画像信号に統一するように変換し、表示エンコーダ１４に送る（ステップＳ１０２）。また、制御部１１は、前記ステップＳ１０１で取り込んだ画像データにより表される画像に動画が含まれるか否かを判断する（ステップＳ１０３）。つまり、制御部１１は、取り込んだ画像データのファイルフォーマットに基づき、一部に動画データを組む画像データであるか否かを判断する。そして、図４に例示するように、例えば画像５１の一部に例えば、自然画を表す動画５２が含まれている画像データである場合には、制御部１１は、後述するステップＳ１０８に処理を進める。
【００２４】
動画が含まれていない場合には、制御部１１は、取り込んだ画像データがプレゼンテーションファイルであるか否かを判断する（ステップＳ１０４）。このステップＳ１０４での判断は、例えばファイル拡張子（“ｐｐｔ”）等で判断し、プレゼンテーションファイルであると判断された場合には、制御部１１は、後述するステップＳ１０７に処理を進める。
【００２５】
また、取り込んだ画像データがプレゼンテーションファイルでない場合には、制御部１１は、当該画像データにより表される画像全体における白色の割合である白率（ＷＲ）を取得する（ステップＳ１０５）。
【００２６】
この白率とは、全画素のＲＧＢの階調の和が、全画素のＲＧＢの最高階調の和に対してどの割合であるかを表す値である。具体的には、例えば、ＲＧＢの階調が８ビット階調（２５６階調）の場合、全ての画素が１２８階調である場合、その画像の白率は、５０％となる。
【００２７】
次に、制御部１１は、この取得した白率ＷＲが所定の閾値Ｗ１（例えば、３０％）よりも低いか否か（ＷＲ＜Ｗ１）を判断し（ステップＳ１０６）、低い場合には、ステップＳ１０８に処理（第１の点灯モードでの処理）を進め、閾値Ｗ１以上である場合には、ステップＳ１０７以降の処理（第２の点灯モードでの処理）に処理を進める。
【００２８】
ステップＳ１０６の判断がＹＥＳである場合には、制御部１１は、前述のようにキー／インジケータ部２５のユーザ操作により、予め「電流増加」モードが設定されているか否かを判断する（ステップＳ１０８）。「電流増加」モードが設定されていない場合には、制御部１１は、第１の点灯モードにおける所定の電流で光源装置２０を点灯制御する（ステップＳ１０９）。「電流増加」モードが設定されている場合には、制御部１１は、供給電流制御部３２２を調整して、ドライバ３２３、３２４、３２５に供給する電流を増加させるように調整する（ステップＳ１１０）。
【００２９】
つまり、「電流増加」モードが設定されていない場合には、第１の点灯モードにおける所定の電流で光源装置２０を点灯制御する。しかし、同時点灯を伴わない第１の点灯モードにおいては、同時点灯を伴う第２の点灯モードの場合より、使用可能な電流に余裕がある。したがって、「電流増加」モードが設定されている場合には、光源装置２０を点灯制御するのみならず、供給電流制御部３２２を調整して、ドライバ３２３、３２４、３２５に電流を同時に供給した場合の和がこのプロジェクタ１の定格電流値を超えない範囲で、電源装置２０への供給電流を増加させるように調整する（ステップＳ１１０）。
【００３０】
図５（a）は、第１の点灯モード（ステップＳ１０９、１１０）における調光信号の出力状態を示すタイムチャートである。この第１の点灯モードにおいて制御部１１は、光源制御回路３２の点灯期間制御部３２１を制御し、ドライバ３２３、３２４、３２５を駆動する。そして、図示のように、光源装置２０のＬＥＤ２０Ｒ、２０Ｇ、２０Ｂが同時点灯する期間（図５（ｂ）（ｃ）同時点灯期間「ＳＬ」参照）が含まれないように、ドライバ３２３、３２４、３２５を駆動する。これにより、光源装置２０のＬＥＤ２０Ｒ、２０Ｇ、２０Ｂは、同時点灯する期間を含まずに、時分割で点灯（ＯＮ）及び消灯（ＯＦＦ）する。
【００３１】
ステップＳ１０９、１１０での第１の点灯モードでの設定に基づき、制御部１１は、投影処理を実行する（ステップＳ１１４）。つまり、表示駆動部１５が、送られてきた画像信号に対応してＤＭＤ１９を駆動し、光源装置２０から射出された射出光を、光源側光学系を介してＤＭＤ１９に入射させることにより、ＤＭＤ１９の反射光で光像を形成し、レンズ群２１を介して図示しないスクリーンに画像を投影する。そして、投影する画像データの読み込みが終了し、あるいはキー操作による終了指示があった時点（ステップＳ１１５；ＹＥＳ）で、制御部１１は、このフローに従った処理を終了する。
【００３２】
したがって、動画が含まれている、あるいは、画像全体の白率が低く明るさが要求されない画像の場合に、同時点灯する期間を含まずに時分割点灯することにより、色味を重視した表示を簡単に行うことができる。
【００３３】
より具体的には、ステップＳ１０３→Ｓ１０８→Ｓ１０９又はＳ１１０と進んできた場合であって、投影する画像の一部に動画が含まれている場合には、図５（ａ）に示した態様で光源装置２０から射出されたＲ、Ｇ、Ｂの射出光（３セグメントの光）が、同時点灯する期間を含まずに時分割でＤＭＤ１９に入射され、ＤＭＤ１９の反射光で光像が形成される。よって、動画が含まれる自然画のような画像を投影する場合には、色味を重視した表示を簡単に行うことができる。
【００３４】
また、ステップＳ１０４では、画像データのファイルフォーマットに基づき判断を行うことから、簡単な判断で適切なモードでの画像投影を行うことができる。
【００３５】
このステップ１０３とステップ１０４の順序は逆であってもよい。
【００３６】
また、ステップＳ１０６→Ｓ１０８→Ｓ１０９又はＳ１１０と進んだ場合であって、画像の白率が低く明るさが要求されない静止画である場合にも、同時点灯する期間を含まずに時分割点灯する。これにより、色味を重視した表示を簡単に行うことができる。
【００３７】
このように第１の点灯モードは、色味を重視した表示モード、つまり色重視モードということができる。したがって、第１の点灯モードで電源装置２０が制御されることにより、投影された画像がくすんで見えてしまう不明瞭感の発生を回避することもできる。
【００３８】
また、ステップＳ１０８→Ｓ１１０と進んできた場合には、光源装置２０に供給する電流の増加調整する処理がなされる。つまり、第１の点灯モードにおいては、後述する同時点灯期間ＳＬを含む第２の表示モードとは異なり、同時点灯期間ＳＬがなく、ＬＥＤ２０Ｒ、Ｇ、Ｂを時分割点灯させる。したがって、ＬＥＤ２０Ｒ、Ｇ、Ｂを時分割点灯させる場合の必要電流は、同時点灯期間ＳＬがある場合と比較して余裕がある。
【００３９】
よって、この余裕のある電流を有効利用することができ、ＬＥＤ２０Ｒ、Ｇ、Ｂを点灯させる際に、ステップＳ１０９の場合よりも供給電流を増加させることができる。これにより、色味を重視した表示であって、かつ、明るさを増加させた表示を行うことができる。
【００４０】
他方、プレゼンテーションファイルでない（ステップＳ１０４：ＮＯ）、あるいは、白率ＷＲが閾値Ｗ１以上である場合（ステップＳ１０６：ＮＯ）には、ステップＳ１０７以降の第２の点灯モードに関する制御が行われる。以下に詳述する。
【００４１】
ステップＳ１０７で、制御部１１は、さらに白率ＷＲが所定の閾値Ｗ２（例えば、７０％）よりも高いか否か（ＷＲ＞Ｗ２）を判断する。ここで、閾値Ｗ１、Ｗ２の関係は、Ｗ１＜Ｗ２であり、Ｗ２はＷ１よりも高い値である。そして、白率ＷＲが閾値Ｗ２未満の場合（白率ＷＲが中程度の場合）には、制御部１１は、ステップＳ１１１に処理を進め、前述のようにキー／インジケータ部２５のユーザ操作により、予め「電流減少」モードが設定されているか否かを判断する。
【００４２】
「電流減少」モードが設定されている場合には、制御部１１は、供給電流制御部３２２を調整して、電流を減少させるような調整を伴いつつ第２の点灯モードで光源装置２０を点灯制御する（ステップＳ１１２）。
【００４３】
つまり、白率ＷＲが、Ｗ１以上Ｗ２未満である中程度であり、「電流減少」モードが設定されている場合には、制御部１１は、第２の点灯モードで光源装置２０を点灯制御するのみならず、供給電流制御部３２２を調整して、同時にドライバ３２３、３２４、３２５に電流が、若干少なくなるように減少調整する（ステップＳ１１２）。
【００４４】
一方、白率ＷＲが、Ｗ１以上Ｗ２未満である中程度であり、「電流減少」モードが設定されていない場合には、制御部１１は、供給電流制御部３２２を調整せずに、通常点灯モードある、電流調整をしない第２の点灯モードで光源装置２０を点灯制御する（ステップＳ１１３）。
【００４５】
また、ステップＳ１０７で、白率ＷＲが閾値Ｗ２よりも高い場合にも、制御部１１は、供給電流制御部３２２を調整せずに、通常点灯モードある、電流調整をしない第２の点灯モードで光源装置２０を点灯制御する（ステップＳ１１３）。
【００４６】
そして、ステップＳ１１２、１１３での第２の点灯モードでの設定に基づき、制御部１１は、投影処理を実行する（ステップＳ１１４）。
【００４７】
図５（ｂ）は、第２の点灯モード（ステップＳ１１２、Ｓ１１３）における光源装置２０の射出光等を示すタイムチャートである。この第２の点灯モードにおいて制御部１１は、点灯期間制御部３２１によりドライバ３２３、３２４、３２５を駆動させさることにより、例えば、下記の点灯期間（１）（２）（３）を生じさせる。
（１）ＬＥＤ２０Ｒ、Ｇ、Ｂを単独点灯させる期間・・・射出光；Ｒ、Ｇ、Ｂ
（２）ＬＥＤ２０Ｒ、Ｇ、Ｂを同時点灯させる期間・・・射出光；Ｗ（白色）
（３）ＬＥＤ２０Ｒ、Ｇを同時点灯させる期間・・・・・射出光；Ｙ（黄色）
【００４８】
つまり、期間（１）では、Ｒ、Ｇ、Ｂの各色の射出光が生成され、期間（２）ではＷ（白色）の射出光が生成され、期間（３）ではＹ（黄色）の射出光が生成される。これにより、1フレーム時間内に、期間（１）のみならず、同時点灯期間ＳＬである期間（２）（３）が含まれることとなる。
【００４９】
したがって、制御部１１がステップＳ１０４→Ｓ１０７と処理を進めて来た場合であって、投影する画像がプレゼンテーション用の画像である場合には、例えば、図５（ｂ）に示したような態様で光源装置２０から射出されたＲ、Ｇ、Ｂ、Ｗ、Ｙの射出光（５セグメントの光）がＤＭＤ１９に入射され、ＤＭＤ１９の反射光で光像が形成される。よって、プレゼンテーション用の画像を投影する場合には、同時点灯期間ＳＬが含まれて５セグメントの射出光が用いられことにより、プレゼンテーション用の画像に適した明るさ重視の表示を簡単に行うことができる。
【００５０】
また、ステップＳ１０４→Ｓ１０５→Ｓ１０６→Ｓ１０７と処理を進めてきた場合であって、投影する画像がプレゼンテーション用の画像ではないが画像の白率が高く（ＷＲ≧Ｗ１）明るさが要求される画像の場合にも、同時点灯期間ＳＬが含まれる、例えば、５セグメントの射出光が用いられることにより、明るさを重視した表示を簡単に行うことができる。
【００５１】
なお、図５（ｂ）に示したタイムチャートは一例であって、第２の点灯モードでの点灯制御を行うに際しては、例えば、白率ＷＲが高いほど、同時点灯期間ＳＬが長くなるように、光源装置２０のＬＥＤ２０Ｒ、Ｇ、Ｂを点灯制御するようにしてもよい。これにより、画像が明るい場合、より明るさを重視した表示を行うことができる。
【００５２】
また、白率ＷＲが、Ｗ１以上Ｗ２未満である中程度である場合、「電流減少」モードの判断を行い、「電流減少」モードが設定されている場合は、ドライバ３２３、３２４、３２５に電流を、若干少なくするような制御を行うようにした。
【００５３】
したがって、「電流減少」モードが設定されている場合は、このように同時点灯期間ＳＬを用いる点灯制御を行いつつ、節電を図ることができる。よって、第２の点灯モードを用いる本実施の形態に係る制御を、プロジェクタ１に好適に採用することができる。
【００５４】
したがって、投影する画像における白率に応じて、第１、第２の各点灯モードが設定されることから、投影する画像の明るさに応じて、自動的に適切な点灯モードを選択して画像を投影することができるのみならず、多彩なモードでの画像表示を行うことができる。
【００５５】
また、ステップＳ１０１で投影すべき画像を先に取り込んだ後に、ステップＳ１０９〜Ｓ１１３でモード選択され、しかる後にステップＳ１１４で投影を行うことから、投影に先行して異なる点灯モードが開始される。したがって、投影による表示中に不適切な点灯モードが突然設定されて、投影画像が不自然に変化する不都合を未然に防止して、適時的かつ適切な点灯モードの変更を行うことができる。
【００５６】
加えて、本実施の形態によれば、プレゼンテーション用の画像等の明るい画像では、第２の点灯モードで光源装置２０を制御することにより、多少色味が悪くなっても全体的に明るく表示し、白率が少ない自然画等は、第１の点灯モードで光源装置２０を制御することにより、全体的な明るさよりも色味を重視して表示するというように、画像の特性に応じて当該画像の表示を適切に制御することができる。その結果、鑑賞者の視覚との関係において適切に画像を表示することが可能となる。
【００５７】
また、画像の白率に基づき点灯モードの選択を行うようにしたことから、複雑な処理を伴うことなく簡単な処理により、点灯モードの選択を行うことができる。
【００５８】
なお、本実施の形態においては、投影すべき画像の白率に基づき、各モードを選択するようにしたが、白率に限ることなく、ヒストグラムや積分値に基づき各モードを選択するようにしてもよい。また、本実施の形態では、図５（ｂ）に示すように、第２の点灯モードを射出光Ｒ、Ｗ、Ｙ、Ｇ、Ｂを有する５セグメントで構成するようにしたが、図５（ｃ）に示すように、下記の点灯期間（１）（２）含み、Ｒ、Ｙ、Ｇ、Ｂを用いる４セグメント構成するようにしてもよい。
（１）ＬＥＤ２０Ｒ、Ｇ、Ｂが単独点灯させる期間・・・射出光；Ｒ、Ｇ、Ｂ
（２）ＬＥＤ２０Ｒ、Ｇを同時点灯させる期間・・・・・射出光；Ｙ（黄色）
【００５９】
このように、射出光Ｒ、Ｗ、Ｙ、Ｇを有する４セグメントで制御したり、あるいは６セグメント、７セグメント等のより多数のセグメントで制御したりする等、任意のセグメント数で制御を行うことができる。
【００６０】
（第２の実施の形態）
図６は、本発明の第２の実施の形態における制御部１１の処理手順を示すフローチャートである。このフローチャートにおいて、ステップＳ２０１〜Ｓ２０４及びステップＳ２０９〜Ｓ２１６の処理は、図３に示した第１の実施の形態におけるステップＳ１０１〜Ｓ２０４及びステップＳ１０８〜Ｓ１１５の処理と同一であるので、説明を省略する。
【００６１】
本実施の形態では、第１の実施の形態とは異なり読み込んだ画像データがプレゼンテーションファイルでなかった場合、ステップＳ２０５に処理を進めて解析枠を設定する。この解析枠とは、図７（ａ）に示すように、読み込まれた画像データにより表される画像２０１の中央部に設定された矩形の枠２０２である。次に、制御部１１は、この解析枠２０２の内側領域２０３の白率ＷＩと外側領域２０４の白率ＷＯとをそれぞれ取得する（ステップＳ２０６）。
【００６２】
引き続き、制御部１１は、この取得した領域内白率ＷＩと領域外白率ＷＯとを比較し、領域内白率ＷＩが領域外白率ＷＯよりも低いか否かを判断する（ステップＳ２０６）。この判断がＹＥＳであって、ＷＩ＜ＷＯである場合には、制御部１１は、第１の実施の形態におけるステップＳ１０８以降の処理と同様のステップＳ２０９以降へ処理を進める。
【００６３】
具体的には、図７（ｂ）に示すように、例えば解析枠２０２を全て包含するように黄色Ｙの部分があり、その周囲が白色Ｗであるような画像の場合、領域内白率ＷＩは領域外白率ＷＯよりも低く、ＷＩ＜ＷＯとなる。また、図７（ｃ）に示すように、内側領域２０３の殆どが黄色Ｙであり外側領域２０４の殆どが白色Ｗであるような画像の場合も、領域内白率ＷＩは領域外白率ＷＯよりも低く、ＷＩ＜ＷＯとなる。このような場合には、制御部１１は、ステップＳ２０９での判断、及びその判断結果に応じたステップＳ２１０又はステップＳ２１１の処理を実行する。
【００６４】
つまり、ＷＩ＜ＷＯである場合には、ステップＳ２０９からステップＳＳ２１１に処理を進める。
【００６５】
これに対し、図７（ｄ）に示すように、例えば解析枠２０２の内側領域２０３は白色Ｗのみであり、外側領域２０４の一部に黄色Ｙの部分があったとすると、両領域２０３，２０４の白率の関係はＷＩ≧ＷＯとなる。
【００６６】
したがって、制御部１１は、ステップＳ２０７からステップＳ２０８に処理を進め、ＷＩ≒ＷＯであるか否か、つまり、内側領域２０３と外側領域２０４の白率がほぼ等しいか否かを判断する。図７（ｄ）に示す例の場合、内側領域２０３の白率は１００％であるのに対し、外側領域２０４の白率は８０％程度であるから、ここでは、ＷＩ≒ＷＯではないと判断されることとする。（より具体的には、ＷＩ／ＷＯの値と所定の閾値との大小関係を比較するようにすればよい。）
【００６７】
よって、制御部１１は、ステップＳ２０８からステップＳ２１２に処理を進め、予め「電流減少」モードが設定されているか否かを判断する。そして、制御部１１は、このステップＳ２１２での判断結果に応じて、ステップＳ２１３、Ｓ２１４で第１の実施の形態におけるステップＳ１１２、Ｓ１１３と同一の処理を実行する。
【００６８】
また、図７（ｅ）に示すように、内側領域２０３と外側領域２０４白率が共にほぼ１／２である場合にはＷＩ≒ＷＯと判断される。このような場合には、制御部１１は、ステップＳ２０８からステップＳ２１４に処理を進め、第２の点灯モード処理を実行する。この第２点灯モード処理の内容は前述した第１の実施の形態と同様である。
【００６９】
例えば、黄色Ｙの部分があり、その周囲が白色Ｗであるような画像の場合、明るさ優先の通常のモードである第２の点灯モードが選ばれてしまうと、人間の目の特性により、黄色Ｙの部分の色味がくすんで見えてしまうということが起こる。
【００７０】
しかし、本実施形態によれば、所定エリア内外の白率の判定により、上記のように黄色Ｙの部分があり、その周囲が白色Ｗであるような画像の場合に、色味優先の第１の点灯モードが選ばれるようにしたので、黄色Ｙの部分の色味がくすんで見える現象を抑えることができる。
【００７１】
このように、投影する画像の所定エリア内外における白率に応じて、第１、第２の各点灯モードが設定されることから、投影する画像の明るさの分布に応じて、自動的に適切な点灯モードを選択して画像を投影することができるのみならず、多彩なモードでの画像表示を行うことができる。
【００７２】
以上のように、本実施の形態においては、前述した第１の実施の形態とは異なり、画像全体での白率に基づき点灯モードを設定することなく、領域毎の白率に基づき点灯モードを設定する。このため、より詳細な解析に基づき、より適切に点灯モードの設定を行うことができる。
【００７３】
なお、解析枠２０２の位置、数、大きさ等は実施の形態に示したものに限らず、任意の位置、数、大きさ等の解析枠２０２を用いることができる。
【００７４】
（第３の実施の形態）
図８は、本発明の第３の実施の形態を示すものであり、直視型表示装置３００に本発明を適用したものである。図８（ａ）は、直視型表示装置３００の平面概念図、同図（ｂ）は側面概念図である。この直視型表示装置３００は、図１のブロック図に示した回路を利用したディスプレイであり、同図に示した制御部１１、入出力インターフェイス１２、画像変換部１３、表示エンコーダ１４、表示駆動部１５、ビデオＲＡＭ１８、画像圧縮／伸張部２３、メモリカード２４、光源制御回路３２、ＲＯＭ１１１、ＲＡＭ１１２、キー／インジケータ部２５、Ｉｒ受信部２６等を有するとともに、図８に示した光源装置３０１及び表示素子３０２を有する。
【００７５】
光源装置３０１は面発光型であり、赤色（Ｒ）光源３１１、緑色（Ｇ）光源３１２、青色（Ｂ）光源３１３を備えるとともに、導光板３１６を備える。導光板３１６は矩形板状の透明板であり、その表面が表示素子３０２の裏面に対向して配置され、表示素子３０２の表面が表示面となる。導光板３１６の各側面には、赤色光源３１１、緑色光源３１２、及び青色光源３１３が対向して配置されている。これら光源３１１〜３１３は、蛍光管、冷陰極管その他の放電管、あるいは発光ダイオード、有機エレクトロルミネセンス素子、その他の半導体素子である。
【００７６】
光源３１１〜３１３を点灯することで、これらから発せられた光が導光板３１６の側面から内部に取り込まれる。また、導光板３１６の裏面には複数の拡散反射部（例えば、凸部、凹部、不透明部等のドット）が形成された上で、更に反射膜が設けられている。導光板３１６の側面から内部に取り込まれた光は、当該導光板３１６の内部を反対側の側面に導光され、その光が拡散反射部によって拡散反射されることにより、導光板３１６の表面から表示素子３０２の裏面に向けて光が射出される。表示素子は、カラーフィルターが設けられていない透過型の液晶ディスプレイである。
【００７７】
したがって、この第３の実施の形態によれば、直視型表示装置３００において前述した第１の実施の形態と同様の効果を得ることができる。
【００７８】
また、実施の形態においては、光源装置２０としてＬＥＤを用いるようにしたが、レーザ等の他の（半導体）光源を用いるようにしてもよい。
【００７９】
例えば、緑色の光が、青色レーザ光源と、青色のレーザ光を励起光として、緑色の蛍光光が発光される蛍光ホイールにより生成させるようにする。そのような光源装置にも、本発明は、好適に採用することができる。
【００８０】
以上、この発明の実施形態について説明したが、この発明はこれらに限定されるものではなく、特許請求の範囲に記載された発明とその均等の範囲を含むものである。
【００８１】
以下に、本出願の当初に特許請求の範囲に記載された発明を付記する。
［請求項１］
発光色の異なる複数の光源を時分割で点灯させて画像を表示する表示装置であって、
前記画像の明るさを取得する明るさ取得手段と、
前記複数の光源を同時点灯させる期間のない第１の点灯モードと、同時点灯させる期間のある第２の点灯モードとを含む複数の点灯モードから、前記明るさ取得手段の取得結果に応じて、いずれかを選択するモード選択手段と、
前記モード選択手段により選択された点灯モードで前記光源を制御する光源制御手段と
を備えることを特徴とする表示装置。
［請求項２］
前記モード選択手段は、前記明るさ取得手段により取得された画像の明るさが所定以上である場合、前記第２の点灯モードを選択することを特徴とする請求項２記載の表示装置。
［請求項３］
前記明るさ取得手段は、前記画像における白色の割合である白率を前記画像の明るさとして取得することを特徴とする請求項１又は２記載の表示装置。
［請求項４］
前記光源制御手段は、前記光源への供給電力を調整する電力調整手段を備え、前記モード選択手段により前記第２の点灯モードが選択された場合、前記電力調整手段により前記光源への供給電力を調整することを特徴とする請求項１から３にいずれか記載の表示装置。
［請求項５］
前記点灯モードは、前記複数の光源の点灯期間が異なる点灯モードを含むものであることを特徴とする請求項１から４にいずれか記載の表示装置。
［請求項６］
前記光源制御手段は、前記点灯モードにおける前記光源の点灯期間を変化させる期間変更手段を備え、
前記期間変更手段は、前記モード選択手段により選択された前記点灯モードにおける前記複数の光源の点灯期間を、前記明るさ取得手段の取得結果に応じて変化させることを特徴とする請求項１から５にいずれか記載の表示装置。
［請求項７］
前記期間変更手段は、前記表示する画像が明るい程、前記光源を同時点灯させる期間の割合が大きくなるように、前記複数の光源の点灯期間を変化させることを特徴とする請求項６記載の表示装置。
［請求項８］
前記明るさ取得手段は、前記表示する画像における複数の領域毎の明るさを取得し、
前記モード選択手段は、前記明るさ取得手段により取得された複数の領域毎の明るさに応じて、前記点灯モードを選択することを特徴とする請求項１から７にいずれか記載の表示装置。
［請求項９］
前記明るさ取得手段は、前記複数の領域として、画像中央部と画像周辺部の明るさを取得し、その取得結果に応じて、前記点灯モードを選択することを特徴とする請求項８記載の表示装置。
［請求項１０］
前記表示する画像の種別を取得する画像種別を判定する画像判定手段を更に備え、
前記モード選択手段は、前記画像判定手段の判定結果に応じて、前記点灯モードを選択することを特徴とする請求項１から９にいずれか記載の表示装置。
［請求項１１］
前記モード選択手段は、前記画像判定手段により前記表示する画像に動画が含まれると判定された場合に、前記第１の点灯モードを選択することを特徴とする請求項１０記載の表示装置。
［請求項１２］
前記モード選択手段は、前記画像判定手段により前記表示する画像の種別がプレゼンテーションファイルであると判定された場合に、前記第２の点灯モードを選択することを特徴とする請求項１０又は１１記載の表示装置。
［請求項１３］
前記モード選択手段は、前記画像が表示される前に、前記点灯モードを選択する処理を完了することを特徴とする請求項１から１２にいずれか記載の表示装置。
［請求項１４］
発光色の異なる複数の光源を時分割で点灯させて画像を投影する投影装置であって、
前記複数の光源を同時点灯させる期間のない第１の点灯モードと、同時点灯させる期間のある第２の点灯モードとを含む複数の点灯モードからいずれかを選択するモード選択手段と、
前記画像を投影するに際し、前記モード選択手段により選択された点灯モードで前記光源を制御する光源制御手段と
を備えることを特徴とする投影装置。
［請求項１５］
発光色の異なる複数の光源を時分割で点灯させて画像を表示する表示方法であって、
前記画像の明るさを取得する明るさ取得工程と、
前記複数の光源を同時点灯させる期間のない第１の点灯モードと、同時点灯させる期間のある第２の点灯モードとを含む複数の点灯モードから、前記取得工程で得られた取得結果に応じて、いずれかを選択するモード選択工程と、
前記モード選択工程により選択された点灯モードで前記光源を制御する光源制御工程と
を含むことを特徴とする表示方法。
［請求項１６］
発光色の異なる複数の光源を時分割で点灯させて画像を表示する表示装置が有するコンピュータを、
前記画像の明るさを取得する明るさ取得手段と、
前記複数の光源を同時点灯させる期間を含まない第１の点灯モードと、同時点灯させる期間を含む第２の点灯モードとを含む複数の点灯モードから、前記明るさ取得手段の取得結果に応じて、いずれかを選択するモード選択手段と、
前記モード選択手段により選択された点灯モードで前記光源を制御する光源制御手段と
して機能させることを特徴とするプログラム。
【符号の説明】
【００８２】
１    プロジェクタ
１１    制御部
１２    入出力インターフェイス
１３    画像変換部
１４    表示エンコーダ
１５    表示駆動部
１６    入出力コネクタ部
１８    ビデオＲＡＭ
１９    ＤＭＤ
２０    光源装置
２０Ｒ    赤色ＬＥＤ
２０Ｇ    緑色ＬＥＤ
２０Ｂ    青色ＬＥＤ
２５    キー／インジケータ部
３２    光源制御回路
１１１    ＲＯＭ
１１２    ＲＡＭ
２０２    解析枠
２０３    内側領域
２０４    外側領域
３００    直視型表示装置
３０１    光源装置
３０２    表示素子
３１６    導光板
３２１    点灯期間制御部
３２２    供給電流制御部
３２３、３２４、３２５    ドライバ
ＳＬ    同時点灯期間
【図１】
2015158617.tif 000003
【図２】
2015158617.tif 000004
【図３】
2015158617.tif 000005
【図４】
2015158617.tif 000006
【図５】
2015158617.tif 000007
【図６】
2015158617.tif 000008
【図７】
2015158617.tif 000009
【図８】
2015158617.tif 000010